(57)【特許請求の範囲】
【請求項１】
右眼用のシャッター及び左眼用のシャッターを有する電子シャッター付メガネが受信する赤外光を照射する有機ＥＬ表示装置であって、
可視光を発光する発光素子及び前記発光素子を駆動するための駆動素子を含む画素部と、
前記画素部をＮ個×Ｍ個のマトリクス状に複数配置した表示部と、
立体映像の右眼用の画像情報に対応する第１フレームと立体映像の左眼用の画像情報に対応する第２フレームとから前記立体映像を構成する映像信号を前記表示部に配置された複数の画素部の各々に供給するデータ線駆動回路と、
前記複数の画素部の各々に走査信号を供給して、前記複数の画素部の各々への前記映像信号の供給制御を行う走査線駆動回路と、を具備し、
前記表示部は、前記Ｎ個×Ｍ個のマトリクス状に複数配置された画素部の配置位置の一部に、前記赤外光を前記発光素子の照射方向と同一方向に照射する所定の素子及び前記所定の素子を駆動するための駆動素子を設けたエミッタ部を配置し、
前記走査線駆動回路は、前記第１フレームと第２フレームとの切り替えタイミングを示す制御信号を前記エミッタ部に供給し、前記電子シャッター付メガネが前記赤外光を受信して前記電子シャッター付メガネが前記右眼用のシャッターおよび前記左眼用のシャッターの開閉を制御するよう、前記制御信号に対応させて前記所定の素子を発光させる、
有機ＥＬ表示装置。
【請求項２】
前記走査線駆動回路は、前記Ｎ個×Ｍ個のマトリクス状に複数配置された画素部にライン単位で設けられた走査線を介して接続され、
前記走査線を用いて前記制御信号を前記エミッタ部に供給する、
請求項１に記載の有機ＥＬ表示装置。
【請求項３】
前記表示部は、前記Ｎ個×Ｍ個のマトリクス状に複数配置された画素部の配置位置の中に、前記エミッタ部を複数配置した、
請求項１又は請求項２に記載の有機ＥＬ表示装置。
【請求項４】
前記エミッタ部は、前記Ｎ個×Ｍ個のマトリクス状の１番目のラインからＮ番目のラインのいずれかの１ライン上に複数配置される、
請求項３記載の有機ＥＬ表示装置。
【請求項５】
前記１ライン上に複数配置されたエミッタ部は、前記Ｎ個×Ｍ個のマトリクス状の１番目のライン上に配置される、
請求項４記載の有機ＥＬ表示装置。
【請求項６】
外部から入力された映像信号を入力し、前記映像信号が前記第１フレーム及び前記第２フレームのいずれであるかを示す識別信号を前記映像信号から生成する信号処理部と、
前記識別信号に基づいて前記制御信号を生成する信号生成部と、を備える、
請求項１乃至請求項５のいずれか１項に記載の有機ＥＬ表示装置。
【請求項７】
前記信号生成部は前記走査線駆動回路に含まれる、
請求項６記載の有機ＥＬ表示装置。
【請求項８】
前記信号生成部は、前記第１フレームと前記第２フレームとで前記所定の素子の発光回数が異なるように前記制御信号を生成する、
請求項７に記載の有機ＥＬ表示装置。
【請求項９】
前記信号生成部は、
前記映像信号が前記第１フレームである場合、前記所定の素子が２回発光するように前記制御信号を生成し、一方、前記映像信号が前記第２フレームである場合、前記所定の素子が１回発光するように前記制御信号を生成する、
請求項８記載の有機ＥＬ表示装置。
【請求項１０】
前記データ線駆動回路への前記映像信号の供給、及び前記走査線駆動回路への前記走査信号の供給を行う制御部を備え、
前記信号生成部は、前記制御部から供給される識別信号と、前記制御部から前記走査線駆動回路に供給される走査信号であって、前記Ｎ個×Ｍ個のマトリクス状の１番目のラインからＮ番目のラインのうち、前記エミッタ部が配置された１ラインを除く少なくとも２本のラインに供給される走査信号とを入力して加算することによって前記制御信号を生成する、
請求項７乃至請求項９のいずれか１項に記載の有機ＥＬ表示装置。
【請求項１１】
前記Ｎ個×Ｍ個のマトリクス状の１番目のラインからＮ番目のラインのいずれかの１ラインに前記エミッタ部と前記画素部とが混在する所定ラインが存在する場合、
前記信号生成部は、前記所定ラインで用いる制御信号を、前記走査線駆動回路に供給し、
前記走査線駆動回路は、前記所定ラインに含まれる前記エミッタ部及び前記画素部の双方に、前記所定ラインに接続される走査線を用いて、前記所定ラインで用いる制御信号を供給する、
請求項６に記載の有機ＥＬ表示装置。
【請求項１２】
前記信号生成部は、前記Ｎ個×Ｍ個のマトリクス状の１番目のラインからＮ番目のラインのいずれかの１ラインに前記エミッタ部と前記画素部とが混在する所定ラインが存在する場合、前記所定ラインで用いる制御信号を、同一フレーム内における前記所定の素子の発光回数を１回としつつ、前記識別信号が前記第１フレーム及び前記第２フレームのいずれを表しているかに応じて前記第１フレームと前記第２フレームとで前記所定の素子の発光期間が異なるように生成し、前記走査線駆動回路に供給する、
請求項１１に記載の有機ＥＬ表示装置。
【請求項１３】
前記走査線駆動回路は、前記供給された制御信号を前記所定ラインに含まれる前記エミッタ部に供給し、前記所定ラインに含まれる前記エミッタ部に設けられた前記所定の素子の発光期間が前記第１フレームと前記第２フレームとで異なるように制御する、
請求項１２に記載の有機ＥＬ表示装置。
【請求項１４】
前記走査線駆動回路は、前記供給された制御信号を、前記走査信号として前記所定ラインに含まれる前記画素部に供給し、前記制御信号に基づいて前記画素部への前記映像信号の供給制御を行う、
請求項１２に記載の有機ＥＬ表示装置。
【請求項１５】
前記信号生成部は、前記Ｎ個×Ｍ個のマトリクス状の１番目のラインからＮ番目のラインのいずれかの１ラインに前記エミッタ部と前記画素部とが混在する所定ラインが存在する場合、前記所定ラインで用いる制御信号を、同一フレーム内における前記所定の素子の発光回数を１回としつつ、前記識別信号が前記第１フレーム及び前記第２フレームのいずれを表しているかに応じて前記第２フレームよりも前記第１フレームの方が前記所定の素子の発光期間が長くなるように生成し、前記走査線駆動回路に供給する、
請求項１２記載の有機ＥＬ表示装置。
【請求項１６】
前記走査線駆動回路は、前記供給された制御信号を前記所定ラインに含まれる前記エミッタ部に供給し、前記所定ラインに含まれる前記エミッタ部に設けられた前記所定の素子の発光期間が前記第２フレームよりも前記第１フレームの方が長くなるように制御する、
請求項１５に記載の有機ＥＬ表示装置。
【請求項１７】
前記走査線駆動回路は、前記供給された制御信号を、前記走査信号として前記所定ラインに含まれる前記画素部に供給し、前記画素部への前記映像信号の供給期間が前記第２フレームよりも前記第１フレームの方が長くなるように制御する、
請求項１５に記載の有機ＥＬ表示装置。
【請求項１８】
前記エミッタ部に含まれる駆動素子の表面積は、前記画素部に含まれる駆動素子の表面積よりも大きい、
請求項１乃至請求項１７のいずれか１項に記載の有機ＥＬ表示装置。
【請求項１９】
前記エミッタ部が配置されている１ラインに対応する走査線は、前記エミッタ部に設けられた駆動素子のゲート電極に接続され、
前記走査線駆動回路は、前記制御信号を、前記エミッタ部に設けられた駆動素子のゲート電極に供給しているときに前記所定の素子を発光させる、
請求項１８記載の有機ＥＬ表示装置。
【請求項２０】
有機ＥＬ表示装置と電子シャッター付メガネとを含む映像表示システムであって、
前記有機ＥＬ表示装置は、
可視光を発光する発光素子及び前記発光素子を駆動するための駆動素子を含む画素部と、
前記画素部をＮ個×Ｍ個のマトリクス状に複数配置した表示部と、
立体映像の右眼用の画像情報に対応する第１フレームと立体映像の左眼用の画像情報に対応する第２フレームとから前記立体映像を構成する映像信号を、前記表示部に配置された複数の画素部の各々に供給するデータ線駆動回路と、
前記複数の画素部の各々に走査信号を供給して、前記複数の画素部の各々への前記映像信号の供給制御を行う走査線駆動回路と、を具備し、
前記表示部は、赤外光を照射する所定の素子及び前記所定の素子を駆動するための駆動素子を設けたエミッタ部を配置し、
前記走査線駆動回路は、前記第１フレームと第２フレームとの切り替えタイミングを示す制御信号を前記エミッタ部に供給し、前記制御信号に対応させて前記エミッタ部に含まれる前記所定の素子を発光させ、
前記電子シャッター付メガネは、
一方の眼用のシャッターと、
他方の眼用のシャッターと、
前記所定の素子から発光された赤外光を受信する通信部と、
前記通信部が前記赤外光を受信するに応じて前記一方の眼用のシャッターおよび前記他方の眼用のシャッターの開閉を制御する制御部と、を具備し、
前記表示部は、前記Ｎ個×Ｍ個のマトリクス状に複数配置された画素部の配置位置の一部に、前記画素部に代えて、赤外光の照射方向を前記発光素子の照射方向と同一方向にした所定の素子及び前記所定の素子を駆動するための駆動素子を設けたエミッタ部を配置した、
映像表示システム。
【請求項２１】
有機ＥＬ表示装置と電子シャッター付メガネとを具備する映像表示システムにおいて行われる映像表示方法であって、
前記有機ＥＬ表示装置は、
可視光を発光する発光素子及び前記発光素子を駆動するための駆動素子を含む画素部と、
前記画素部をＮ個×Ｍ個のマトリクス状に複数配置した表示部と、
立体映像の右眼用の画像情報に対応する第１フレームと立体映像の左眼用の画像情報に対応する第２フレームとから前記立体映像を構成する映像信号を、前記表示部に配置された前記複数の画素部の各々に供給するデータ線駆動回路と、
前記複数の画素部の各々に走査信号を供給して、前記複数の画素部の各々への前記映像信号の供給制御を行う走査線駆動回路と、を具備し、
前記表示部は、赤外光を照射する所定の素子及び前記所定の素子を駆動するための駆動素子を設けたエミッタ部を配置し、
前記電子シャッター付メガネは、
一方の眼用のシャッターと、
他方の眼用のシャッターと、
前記所定の素子から発光される前記赤外光を受信する通信部と、
前記一方の眼用のシャッターおよび前記他方の眼用のシャッターの開閉を制御する制御部と、を具備し、
前記表示部は、前記Ｎ個×Ｍ個のマトリクス状に複数配置された前記画素部の配置位置の一部に、前記画素部に代えて、赤外光の照射方向を前記発光素子の照射方向と同一方向にした前記所定の素子及び前記所定の素子を駆動するための駆動素子を設けたエミッタ部を配置し、
前記映像表示方法は、
前記第１フレームと第２フレームとの切り替えタイミングを示す制御信号を前記エミッタ部に供給し、前記制御信号に対応させて前記エミッタ部に含まれる前記所定の素子を発光させるステップと、
前記通信部が前記所定の素子から発光された前記赤外光を受信するステップと、
前記通信部が前記赤外光を受信するに応じて、前記一方の眼用のシャッターおよび前記他方の眼用のシャッターの開閉を切り替えるステップと、を含む
映像表示方法。
【発明の詳細な説明】
【技術分野】
【０００１】
本発明は有機ＥＬ表示装置、映像表示システム、および映像表示方法に関し、特に、立体映像を表示するために好適な有機ＥＬ表示装置、映像表示システム、および映像表示方法に関する。
【背景技術】
【０００２】
従来、立体映像を視聴するための方式の一例として、立体映像を視認するための視差に対応した一方の眼用の画像情報及び他方の眼用の画像情報を切り替えることにより立体映像を生成する方式がある。
【０００３】
この方式では、前記映像信号は、前記一方の眼用の画像情報が設定された第１フレームと前記他方の眼用の画像情報が設定された第２フレームとに分離される。視聴者は、前記第１フレーム及び前記第２フレームに同期して左右のシャッターの開閉を行う電子メガネを介して立体映像を認識できる。例えば、前記第１フレームでは、左目のシャッターを閉じることにより右眼画像情報を認識し、前記第２フレームでは右眼のシャッターを閉じることにより左眼画像情報を認識する。
【０００４】
このとき、表示装置と前記電子メガネとの間を無線化するためにエミッタが必要となり、前記第１フレーム及び前記第２フレームの切り替えタイミングを同期させる信号をエミッタから送信する。
【０００５】
図１１は、従来、立体映像を視聴するために典型的に用いられる映像表示システム９００の外観の一例を示す斜視図である。映像表示システム９００は、表示装置９、エミッタ８、および電子シャッター付きメガネ７（以下では電子メガネと言う）とから構成される。
【０００６】
表示装置９は、立体映像の右眼画像と左眼画像とにそれぞれ対応する第１フレームおよび第２フレームを順次表示する。エミッタ８は、前記第１フレームと第２フレームとの切り替えタイミングを示す制御信号を電子メガネ７に送信する。電子メガネ７はこの制御信号をエミッタ８から受信するに応じて、前記第１フレーム及び前記第２フレームに対応したシャッターの開閉制御を行う。
【０００７】
例えば、特許文献１に開示される立体表示装置では、図１１に示される典型的な一例と同様、エミッタは表示装置の外付け部材となっており、視聴者が立体映像を視聴するためには、エミッタを、表示装置に接続して、かつ前記エミッタから送信される制御信号が前記電子メガネに正しく到達するように、設置する必要がある。
【０００８】
このような視聴者の手間を削減する観点から、エミッタをテレビ装置内に設け、テレビ装置内からエミッタが送信する赤外線信号にて電子メガネのシャッターの開閉を制御する技術が周知となっている（例えば、特許文献２、３を参照）。
【先行技術文献】
【特許文献】
【０００９】
【特許文献１】特開２００８−１５３２１９号公報
【特許文献２】特開平１０−１６９７５８号公報
【特許文献３】特開２０００−４００４２７号公報
【発明の概要】
【発明が解決しようとする課題】
【００１０】
しかしながら、エミッタをテレビ装置内に設ける構成によれば、視聴者が前記エミッタをテレビ外に設置する手間は省かれるものの、テレビ内にエミッタおよびそのドライバを設ける必要があるため、テレビ装置の構成を簡素化する妨げになる。また、エミッタを正しく視聴者の方向に向けてテレビ装置に組み付ける必要があるため、テレビ装置の製造工程を簡素化する妨げにもなる。
【００１１】
本発明は、上記の事情に鑑みてなされたものであり、視聴者が着用する電子メガネに対して立体映像を表示するための制御信号を送信する有機ＥＬ表示装置であって、装置の回路構成の簡素化および装置の製造工程の簡素化に適した有機ＥＬ表示装置、映像表示システム、および映像表示方法を提供することを目的とする。
【課題を解決するための手段】
【００１２】
上記課題を解決するために、本発明に係る有機ＥＬ表示装置の１つの態様は、可視光を発光する発光素子及び前記発光素子を駆動するための駆動素子を含む画素部と、前記画素部をＮ個×Ｍ個のマトリクス状に複数配置した表示部と、立体映像の右眼用の画像情報に対応する第１フレームと立体映像の左眼用の画像情報に対応する第２フレームとから前記立体映像を構成する映像信号を前記表示部に配置された複数の画素部の各々に供給するデータ線駆動回路と、前記複数の画素部の各々に走査信号を供給して、前記複数の画素部の各々への前記映像信号の供給制御を行う走査線駆動回路と、を具備し、前記表示部は、前記Ｎ個×Ｍ個のマトリクス状に複数配置された画素部の配置位置の一部に、赤外光を前記発光素子の照射方向と同一方向に照射する所定の素子及び前記所定の素子を駆動するための駆動素子を設けたエミッタ部を配置し、前記走査線駆動回路は、前記一画面の第１フレームと第２フレームとの切り替えタイミングを示す制御信号を前記エミッタ部に供給し、前記制御信号に対応させて前記所定の素子を発光させるものである。
【発明の効果】
【００１３】
本態様により、前記表示装置の内部に設けられたエミッタ部と前記電子メガネとで赤外線通信を行うことにより前記電子メガネのシャッターの開閉制御を行うことができる。そのため、従来、外付け部材であったエミッタを前記表示装置の内部に設けることが可能になる。
【００１４】
また、各画素部への前記映像信号の供給制御を行う走査線駆動回路及び各画素部に設けられる配線を、前記画素部と前記エミッタ部とで共用することができる。そのため、前記エミッタ部を駆動するためのドライバを別途設ける必要がなく本装置の回路構成を簡素化できる。
【図面の簡単な説明】
【００１５】
【図１】図１（Ａ）は、本発明の第１の実施の形態に係る映像表示システムの外観の一例を示す斜視図である。図１（Ｂ）は、本発明の第１の実施の形態に係る有機ＥＬ表示装置の機能的な構成の一例を示す機能ブロック図である。
【図２】図２（Ａ）は、本発明の第１の実施の形態に係る表示部の機能的な構成の一例を示す機能ブロック図である。図２（Ｂ）は、画素部の機能的な構成の一例を示す回路図である。図２（Ｃ）は、エミッタ部の機能的な構成の一例を示す回路図である。
【図３】図３は、本発明の第１の実施の形態に係る有機ＥＬ表示装置の動作の一例を示すタイミングチャートである。
【図４】図４は、本発明の第１の実施の形態に係る電子メガネの機能的な構成の一例を示す機能ブロック図である。
【図５】図５は、本発明の第１の実施の形態に係る電子メガネの動作の一例を示すタイミングチャートである。
【図６】図６は、本発明の第１の実施の形態に係る電子メガネの動作の一例を示すフローチャートである。
【図７】図７（Ａ）は、本発明の第１の実施の形態の具体例に係る有機ＥＬ表示装置の機能的な構成の一例を示す機能ブロック図である。図７（Ｂ）は、当該具体例に係る信号生成部を示す回路図である。
【図８】図８は、本発明の第２の実施の形態に係る有機ＥＬ表示装置の機能的な構成の一例を示す機能ブロック図である。
【図９】図９は、本発明の第２の実施の形態に係る有機ＥＬ表示装置の動作の一例を示すタイミングチャートである。
【図１０】図１０は、本発明の第２の実施の形態に係る電子メガネの動作の一例を示すタイミングチャートである。
【図１１】図１１は、従来の映像表示システムの外観の一例を示す斜視図である。
【発明を実施するための形態】
【００１６】
本発明に係る有機ＥＬ表示装置の１つの態様は、可視光を発光する発光素子及び前記発光素子を駆動するための駆動素子を含む画素部と、前記画素部をＮ個×Ｍ個のマトリクス状に複数配置した表示部と、立体映像の右眼用の画像情報に対応する第１フレームと立体映像の左眼用の画像情報に対応する第２フレームとから前記立体映像を構成する映像信号を前記表示部に配置された複数の画素部の各々に供給するデータ線駆動回路と、前記複数の画素部の各々に走査信号を供給して、前記複数の画素部の各々への前記映像信号の供給制御を行う走査線駆動回路と、を具備し、前記表示部は、前記Ｎ個×Ｍ個のマトリクス状に複数配置された画素部の配置位置の一部に、赤外光を前記発光素子の照射方向と同一方向に照射する所定の素子及び前記所定の素子を駆動するための駆動素子を設けたエミッタ部を配置し、前記走査線駆動回路は、前記一画面の第１フレームと第２フレームとの切り替えタイミングを示す制御信号を前記エミッタ部に供給し、前記制御信号に対応させて前記所定の素子を発光させる。
【００１７】
本態様によると、前記表示部の中で前記マトリクス状に複数配置された画素部の配置位置の一部に、前記画素部に代えて赤外光を発光する所定の素子及び前記所定の素子を駆動するための駆動素子を設けたエミッタ部を配置する。そして、前記一画面の第１フレームと第２フレームとの切り替えタイミングを示す制御信号を前記エミッタ部へ供給し、前記制御信号に対応させて前記所定の素子を発光させる。即ち、前記制御信号を前記所定の素子から発光される赤外光の形で前記エミッタ部から出力する。
【００１８】
これにより、前記表示装置の内部に設けられたエミッタ部と前記電子メガネとで赤外線通信を行うことにより前記電子メガネのシャッターの開閉制御を行うことができる。そのため、従来、外付け部材であったエミッタを前記表示装置の内部に設けることが可能になり、前記エミッタを前記表示装置に接続して設定する手間を省くことができる。
【００１９】
また、本態様では、前記マトリクス状に複数配置された画素部の配置位置の一部に、前記画素部に代えて前記エミッタ部を配置しているので、各画素部への前記映像信号の供給制御を行う走査線駆動回路及び各画素部に設けられる配線を、前記画素部と前記エミッタ部とで共用することができる。そのため、前記エミッタ部を駆動するためのドライバを別途設ける必要がなく本装置の回路構成を簡素化できる。その結果、本装置の製造コストを削減することができる。
【００２０】
さらに、前記エミッタ部は前記発光素子の照射方向と同一方向に赤外光を照射する。これにより、前記発光素子の光の照射方向と前記所定の素子の赤外線の照射方向とは同一方向になるので、前記エミッタ部から放出される赤外線は電子メガネを掛けた視聴者の正面方向に出ていく。即ち、前記電子メガネを掛けた視聴者は、通常、発光素子の照射方向である表示部の正面に座るため、前記エミッタ部から照射される赤外光は前記電子メガネの方向に出ていく。その結果、前記エミッタ部と前記電子メガネとの通信性能を向上でき、前記電子メガネのシャッターの誤作動を抑制することができる。
【００２１】
また、本発明に係る有機ＥＬ表示装置の１つの態様では、前記走査線駆動回路は、前記Ｎ個×Ｍ個のマトリクス状に複数配置された画素部にライン単位で設けられた走査線を介して接続され、前記走査線を用いて前記制御信号を前記エミッタ部に供給してもよい。
【００２２】
本態様によると、前記走査線駆動回路を、前記Ｎ個×Ｍ個のマトリクス状に複数配置された画素部にライン単位で設けられた走査線を介して接続する。そして、前記走査線を用いて前記制御信号を前記エミッタ部に供給する。これにより、前記エミッタ部への前記制御信号の供給制御を既存の走査線を用いて行うことができる。そのため、前記制御信号を前記エミッタ部へ供給するための制御線を設ける必要がなくなる分、表示部内の配線の本数を削減できる。その結果、本装置の回路構成を簡素化できる。
【００２３】
また、本発明に係る有機ＥＬ表示装置の１つの態様では、前記表示部は、前記Ｎ個×Ｍ個のマトリクス状に複数配置された画素部の配置位置の中に、前記エミッタ部を複数配置してもよい。
【００２４】
本態様によると、前記エミッタ部を、前記表示部の中に複数配置する。これにより、前記表示部から出力される赤外光の総量を増加できるので、表示装置から送信される赤外線の強度を強めることができる。その結果、表示装置と電子メガネとの間の赤外線通信を高精度に行うことができ、前記電子メガネのシャッターの誤作動を防止できる。
【００２５】
また、本発明に係る有機ＥＬ表示装置の１つの態様では、前記エミッタ部は、前記Ｎ個×Ｍ個のマトリクス状の１番目のラインからＮ番目のラインのいずれかの１ライン上に複数配置されてもよい。
【００２６】
本態様によると、前記マトリクス状の１番目のラインからＮ番目のラインのいずれかの１ライン上に前記エミッタ部を複数配置する。これにより、前記複数のエミッタ部が配置されている１ラインと前記複数の画素部が配置されている各ラインとを各々独立に制御できるので、前記複数の画素部及び前記エミッタ部の制御を簡素化できる。
【００２７】
また、本発明に係る有機ＥＬ表示装置の１つの態様では、前記１ライン上に複数配置されたエミッタ部は、前記Ｎ個×Ｍ個のマトリクス状の１番目のライン上に配置されてもよい。
【００２８】
前記表示部において、前記エミッタ部が配置された１ラインは映像信号に対応した発光を行わないとすれば、前記エミッタ部を前記表示部の１番目のラインではなく他のラインに配置した場合、前記Ｎ個×Ｍ個のマトリクス状に複数配置された画素部によって生成される映像がこの１ラインで分断され、滑らかな映像が表示されない。
【００２９】
本態様によると、前記複数のエミッタ部を前記Ｎ個×Ｍ個のマトリクス状の１番目のラインに配置する。これにより、前記エミッタ部は前記マトリクス状の１番目のラインに配置されるので、前記Ｎ個×Ｍ個のマトリクス状に複数配置された画素部によって生成される映像を、前記エミッタ部が配置された１ラインで分断することなく、前記有機ＥＬ表示装置の内部に前記エミッタ部を内蔵して、前記エミッタ部と前記電子メガネとの通信性能を向上できる。
【００３０】
また、本発明に係る有機ＥＬ表示装置の１つの態様では、外部から入力された映像信号を入力し、前記映像信号が前記第１フレーム及び前記第２フレームのいずれであるかを示す識別信号を前記映像信号から生成する信号処理部と、前記識別信号に基づいて前記制御信号を生成する信号生成部と、を備えてもよい。
【００３１】
本態様によると、前記制御信号を生成する信号生成部を備える。
【００３２】
また、本発明に係る有機ＥＬ表示装置の１つの態様では、前記信号生成部は前記走査線駆動回路に含まれてもよい。
【００３３】
本態様によると、前記信号生成部は前記走査線駆動回路に含まれる。
【００３４】
また、本発明に係る有機ＥＬ表示装置の１つの態様では、前記信号生成部は、前記第１フレームと前記第２フレームとで前記所定の素子の発光回数が異なるように前記制御信号を生成してもよい。
【００３５】
本態様によると、前記第１フレームと前記第２フレームとで前記所定の素子の発光回数が異なるように前記制御信号を生成する。これにより、前記第１フレームと前記第２フレームとで前記所定の素子の発光回数が異なるので、前記電子メガネ側では、前記発光回数に応じて、どちらの目のシャッターを閉じるべきかを容易に判断できる。その結果、前記電子メガネのシャッターの開閉制御を簡素化できる。
【００３６】
また、本発明に係る有機ＥＬ表示装置の１つの態様では、前記信号生成部は、前記映像信号が前記第１フレームである場合、前記所定の素子が２回発光するように前記制御信号を生成し、一方、前記映像信号が前記第２フレームである場合、前記所定の素子が１回発光するように前記制御信号を生成してもよい。
【００３７】
本態様によると、前記映像信号が前記第１フレームである場合、前記１フレーム内に前記所定の発光素子を２回発光させ、前記映像信号が前記第２フレームである場合、前記第２フレーム内に前記所定の素子を１回発光させる。この場合、前記電子メガネ側で、所定の期間内に赤外光を２回受信したか或いは１回受信したかを判断することによって、前記電子メガネがどちらの目のシャッターを閉じるべきかを容易に判断できる。
【００３８】
また、本発明に係る有機ＥＬ表示装置の１つの態様では、前記データ線駆動回路への前記映像信号の供給、及び前記走査線駆動回路への前記走査信号の供給を行う制御部を備え、前記信号生成部は、前記制御部から供給される識別信号と、前記制御部から前記走査線駆動回路に供給される走査信号であって、前記Ｎ個×Ｍ個のマトリクス状の１番目のラインからＮ番目のラインのうち、前記エミッタ部が配置された１ラインを除く少なくとも２本のラインに供給される走査信号とを入力して加算することによって前記制御信号を生成してもよい。
【００３９】
本態様によると、前記Ｎ個×Ｍ個のマトリクス状の１番目のラインからＮ番目のラインのうち、前記エミッタ部が配置された１ラインを除く少なくとも２本のラインに供給される走査信号を入力して加算することによって前記制御信号を生成する。これにより、前記制御信号を既存の走査線駆動回路に供給される走査信号で生成できるので、前記制御信号を生成するための専用ドライバを設けることなく前記制御信号を生成することができる。その結果、本装置の回路構成を簡素化でき、製造コストを削減できる。
【００４０】
また、本発明に係る有機ＥＬ表示装置の１つの態様では、前記Ｎ個×Ｍ個のマトリクス状の１番目のラインからＮ番目のラインのいずれかの１ラインに前記エミッタ部と前記画素部とが混在する所定ラインが存在する場合、前記信号生成部は、前記所定ラインで用いる制御信号を、前記走査線駆動回路に供給し、前記走査線駆動回路は、前記所定ラインに含まれる前記エミッタ部及び前記画素部の双方に、前記所定ラインに接続される走査線を用いて、前記所定ラインで用いる制御信号を供給してもよい。
【００４１】
本態様によると、前記エミッタ部と前記画素部とが混在する所定ラインが存在する場合、前記所定ラインに含まれる前記エミッタ部及び前記画素部の双方に、前記所定ラインに接続される走査線を用いて、前記所定ラインで用いる制御信号を供給する。即ち、前記画素部に前記制御信号を前記走査信号として用いさせるので、前記所定のラインに含まれる画素部とエミッタ部とを、各々別々の制御線を設けることなく既存の走査線を用いて制御することができる。そのため、表示部内の配線の本数を削減でき、表示部内の回路構成を簡素化できる。
【００４２】
また、本発明に係る有機ＥＬ表示装置の１つの態様では、前記信号生成部は、前記Ｎ個×Ｍ個のマトリクス状の１番目のラインからＮ番目のラインのいずれかの１ラインに前記エミッタ部と前記画素部とが混在する所定ラインが存在する場合、前記所定ラインで用いる制御信号を、同一フレーム内における前記所定の素子の発光回数を１回としつつ、前記識別信号が前記第１フレーム及び前記第２フレームのいずれを表しているかに応じて前記第１フレームと前記第２フレームとで前記所定の素子の発光期間が異なるように生成し、前記走査線駆動回路に供給してもよい。
【００４３】
前記表示部の中に前記エミッタ部と前記画素部とが混在する所定ラインが存在し、既存の走査線を用いて前記画素部及び前記エミッタ部の双方を制御する場合、前記エミッタ部及び前記画素部の双方に前記制御信号を供給することになる。この場合、前記エミッタ部に前記制御信号を複数回供給すると、前記所定のラインに含まれる前記画素部にも前記映像信号が複数回書き込まれる。そのため、前記この画素部に含まれる発光素子は、同一フレーム内で複数回発光してしまい、所望の発光動作を行うことができなくなる。従って、この場合、前記第１フレームと前記第２フレームとで前記所定の素子の発光回数を異なるように制御することができない。
【００４４】
そこで、本態様では、前記エミッタ部と前記画素部とが混在する所定ラインが存在する場合、前記所定ラインで用いる制御信号を、同一フレーム内における前記所定の素子の発光回数を１回としつつ前記第１フレームと前記第２フレームとで前記所定の素子の発光期間が異なるように生成するようにした。これにより、前記第１フレームと前記第２フレームとで前記所定の素子の発光期間が異なるので、前記電子メガネ側では、前記所定の素子の発光回数が１回であっても、その発光期間の長さの違いによって右眼及び左眼のどちらの目のシャッターを閉じるべきかを判断することができる。その結果、前記エミッタ部と前記画素部とが混在する所定のラインが存在する場合でも、前記所定の素子の発光制御を既存の走査線で適切に行うことができる。
【００４５】
また、本発明に係る有機ＥＬ表示装置の１つの態様では、前記走査線駆動回路は、前記供給された制御信号を前記所定ラインに含まれる前記エミッタ部に供給し、前記所定ラインに含まれる前記エミッタ部に設けられた前記所定の素子の発光期間が前記第１フレームと前記第２フレームとで異なるように制御してもよい。
【００４６】
本態様によると、前記エミッタ部と前記画素部とが混在する所定ラインが存在する場合、前記供給された制御信号を前記所定ラインに含まれる前記エミッタ部に供給し、前記エミッタ部に設けられた前記所定の素子の発光期間を、前記第１フレームと前記第２フレームとで異なるものにする。
【００４７】
これにより、前記エミッタ部に設けられた前記所定の素子から照射される赤外光の発光期間が異なるので、前記電子メガネ側では、前記所定の素子から照射される赤外光の受信期間の違いによって右眼及び左眼のどちらの目のシャッターを閉じるべきかを判断することができる。
【００４８】
また、本発明に係る有機ＥＬ表示装置の１つの態様では、前記走査線駆動回路は、前記供給された制御信号を、前記走査信号として前記所定ラインに含まれる前記画素部に供給し、前記制御信号に基づいて前記画素部への前記映像信号の供給制御を行ってもよい。
【００４９】
本態様によると、前記エミッタ部と前記画素部とが混在する所定ラインが存在する場合、前記制御信号を前記所定ラインに含まれる前記画素部に供給し、前記制御信号を前記走査信号として用いる。これにより、前記所定ラインに含まれる画素部への前記映像信号の供給回数を各フレームにつき１回とすることができるので、前記所定ラインに含まれる画素部に設けられた発光素子の発光制御を正常に行うことができる。
【００５０】
また、本発明に係る有機ＥＬ表示装置の１つの態様では、前記信号生成部は、前記Ｎ個×Ｍ個のマトリクス状の１番目のラインからＮ番目のラインのいずれかの１ラインに前記エミッタ部と前記画素部とが混在する所定ラインが存在する場合、前記所定ラインで用いる制御信号を、同一フレーム内における前記所定の素子の発光回数を１回としつつ、前記識別信号が前記第１フレーム及び前記第２フレームのいずれを表しているかに応じて前記第２フレームよりも前記第１フレームの方が前記所定の素子の発光期間が長くなるように生成し、前記走査線駆動回路に供給してもよい。
【００５１】
本態様によると、前記エミッタ部と前記画素部とが混在する所定ラインが存在する場合、前記所定ラインで用いる制御信号を、同一フレーム内における前記所定の素子の発光回数を１回としつつ前記第２フレームよりも前記第１フレームの方が前記所定の素子の発光期間が長くなるように生成する。
【００５２】
また、本発明に係る有機ＥＬ表示装置の１つの態様では、前記走査線駆動回路は、前記供給された制御信号を前記所定ラインに含まれる前記エミッタ部に供給し、前記所定ラインに含まれる前記エミッタ部に設けられた前記所定の素子の発光期間が前記第２フレームよりも前記第１フレームの方が長くなるように制御してもよい。
【００５３】
本態様によると、前記第２フレームの発光期間よりも前記第１フレームの発光期間が長くなるように、前記所定ラインに含まれる前記エミッタ部に設けられた前記所定の素子を発光させる。これにより、前記電子メガネ側では、前記所定の素子の発光期間の長さの違いによって右眼及び左眼のどちらの目のシャッターを閉じるべきかを判断することができる。
【００５４】
また、本発明に係る有機ＥＬ表示装置の１つの態様では、前記走査線駆動回路は、前記供給された制御信号を、前記走査信号として前記所定ラインに含まれる前記画素部に供給し、前記画素部への前記映像信号の供給期間が前記第２フレームよりも前記第１フレームの方が長くなるように制御してもよい。
【００５５】
本態様によると、前記画素部への前記映像信号の供給期間を、前記第２フレームよりも前記第１フレームを長くする。これにより、前記所定ラインに含まれる画素部への前記映像信号の供給回数を各フレームにつき１回とすることができるので、前記所定ラインに含まれる画素部に設けられた発光素子の発光制御を正常に行うことができる。
【００５６】
また、本発明に係る有機ＥＬ表示装置の１つの態様では、前記エミッタ部に含まれる駆動素子の表面積は、前記画素部に含まれる駆動素子の表面積よりも大きくてもよい。
【００５７】
前記所定の素子を発光させるためには、前記発光素子を発光させるために必要な電流よりも大幅に大きな電流量が必要となる。そのため、前記発光素子を駆動するための駆動素子では前記所定の素子を発光させるために充分な電流を流すことができない。
【００５８】
本態様によると、前記エミッタ部に含まれる駆動素子の表面積は、前記画素部に含まれる駆動素子の表面積よりも大きいものである。これにより、前記所定の素子に流す電流量を増大できるので、前記所定の素子を発光させることができる。
【００５９】
また、本発明に係る有機ＥＬ表示装置の１つの態様では、前記エミッタ部が配置されている１ラインに対応する走査線は、前記エミッタ部に設けられた駆動素子のゲート電極に接続され、前記走査線駆動回路は、前記制御信号を、前記エミッタ部に設けられた駆動素子のゲート電極に供給しているときに前記所定の素子を発光させてもよい。
【００６０】
本態様によると、前記制御信号を前記エミッタ部の駆動素子のゲート電極に供給しているときに前記所定の素子を発光させる。これにより、前記制御信号を前記エミッタ部に供給するに応じて前記所定の素子を発光させるので、前記電子メガネに適切なタイミングで前記制御信号を送信することができる。その結果、前記電子メガネのシャッターの開閉制御を適切なタイミングで行うことができる。
【００６１】
また、本発明に係る映像表示システムの１つの態様は、有機ＥＬ表示装置と電子シャッター付メガネとを含む映像表示システムであって、前記有機ＥＬ表示装置は、可視光を発光する発光素子及び前記発光素子を駆動するための駆動素子を含む画素部と、前記画素部をＮ個×Ｍ個のマトリクス状に複数配置した表示部と、立体映像の右眼用の画像情報に対応する第１フレームと立体映像の左眼用の画像情報に対応する第２フレームとから前記立体映像を構成する映像信号を、前記表示部に配置された複数の画素部の各々に供給するデータ線駆動回路と、前記複数の画素部の各々に走査信号を供給して、前記複数の画素部の各々への前記映像信号の供給制御を行う走査線駆動回路と、を具備し、前記表示部は、赤外光を照射する所定の素子及び前記所定の素子を駆動するための駆動素子を設けたエミッタ部を配置し、前記走査線駆動回路は、前記一画面の第１フレームと第２フレームとの切り替えタイミングを示す制御信号を前記エミッタ部に供給し、前記制御信号に対応させて前記エミッタ部に含まれる前記所定の素子を発光させ、前記電子シャッター付メガネは、一方の眼用のシャッターと、他方の眼用のシャッターと、前記所定の素子から発光された赤外光を受信する通信部と、前記通信部が前記赤外光を受信するに応じて前記一方の眼用のシャッターおよび前記他方の眼用のシャッターの開閉を制御する制御部と、を具備し、前記表示部は、前記Ｎ個×Ｍ個のマトリクス状に複数配置された画素部の配置位置の一部に、前記画素部に代えて、赤外光の照射方向を前記発光素子の照射方向と同一方向にした所定の素子及び前記所定の素子を駆動するための駆動素子を設けたエミッタ部を配置してもよい。
【００６２】
本態様によると、前記映像表示システムは前記有機ＥＬ表示装置を用いて構成される。
【００６３】
また、本発明は、このような有機ＥＬ表示装置および映像表示システムとして実現できるだけでなく、そのような映像表示システムにおいて用いられる映像表示方法として実現することもできる。
【００６４】
（第１の実施の形態）
以下、本発明の第１の実施の形態に係る有機ＥＬ表示装置、映像表示システム、および映像表示システムについて、図面を参照しながら詳細に説明する。
【００６５】
図１（Ａ）は、本発明の第１の実施の形態に係る映像表示システム１００の外観の一例を示す斜視図である。映像表示システム１００は、立体映像を表示可能な映像表示システムであり、有機ＥＬ表示装置１および電子メガネ７とからなる。
【００６６】
映像表示システム１００は、赤外線信号を用いて、有機ＥＬ表示装置１と電子メガネ７との間で左右眼用のフレームの切り替えタイミングを同期させる点で、図１０に示される従来の映像表示システム９００と共通しているが、後述する特徴的な構成のために、外付け部材またはディスクリート部材としてのエミッタは省略されている。
【００６７】
有機ＥＬ表示装置１は、表示部１３として例えば有機ＥＬ表示パネルを有している。表示部１３には、後述するように、複数の画素位置がＮ個×Ｍ個のマトリクス状に定められており、特に、マトリクス状の所定の行１３３に含まれる１以上の画素位置には、可視光を発光可能な画素部に代えて、赤外光を発光可能なエミッタ部が配置されている。
【００６８】
図１（Ｂ）は、有機ＥＬ表示装置１の要部の機能的な構成の一例を示す機能ブロック図である。
【００６９】
有機ＥＬ表示装置１は、信号処理部１１、制御部１２、表示部１３、および信号生成部１４を含んでいる。本発明は、信号処理部１１、制御部１２、表示部１３、および信号生成部１４を実現するための具体的な態様を限定しないが、一例を挙げれば、ＣＰＵ（Ｃｅｎｔｒａｌ  Ｐｒｏｃｅｓｓｉｎｇ  Ｕｎｉｔ）やＤＳＰ（Ｄｉｇｉｔａｌ  Ｓｉｇｎａｌ  Ｐｒｏｃｅｓｓｏｒ）が予め定められているプログラムを実行することで発揮されるソフトウェア機能として実現できるほか、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などを用いてハードウェア回路として実現することもできる。
【００７０】
信号処理部１１は、立体映像の左眼用画像および右眼用画像にそれぞれ対応する第１フレームおよび第２フレームを表す画像情報、当該画像情報が第１フレームおよび第２フレームのいずれを表しているかを示す識別情報、および各フレームの期間を示す同期信号（垂直同期信号）を含む映像信号を取得し、当該映像信号を制御部１２へ供給するとともに、当該映像信号から当該同期信号および当該識別信号を抽出して、信号生成部１４へ供給する。
【００７１】
制御部１２は、信号処理部１１から取得した映像信号を表示部１３のデータ線駆動回路１３２へ供給するとともに、走査信号を表示部１３の走査線駆動回路１３１へ供給する。
【００７２】
信号生成部１４は、信号処理部１１から取得した同期信号および識別信号から第１フレームおよび第２フレームの切り替えタイミングを示す制御信号を生成し、生成された制御信号を表示部１３の走査線駆動回路１３１へ供給する。
【００７３】
表示部１３の詳細について説明を続ける。
【００７４】
図２（Ａ）は、表示部１３の機能的な構成の一例を示す機能ブロック図である。表示部１３は、例えば有機ＥＬ表示パネルであってもよい。
【００７５】
表示部１３には、複数の画素位置がマトリクス状に定められている。マトリクス状の各画素位置には、行１３３に含まれる画素位置を除いて、可視光を発光可能な画素部１３６が配置され、また、行１３３に含まれる画素位置には、画素部１３６に代えて、赤外光を発光可能なエミッタ部１３８が配置される。この例では、行１３３は、マトリクス状の１番目のラインであり、該ラインに含まれる全ての画素位置にエミッタ部１３８が配置される。
【００７６】
この場合、エミッタ部１３８は前記マトリクス状の１番目のラインである行１３３に配置されるので、前記Ｎ個×Ｍ個のマトリクス状に複数配置された画素部によって生成される映像を、前記エミッタ部１３８が配置された行１３３で分断することなく、有機ＥＬ表示装置１の内部にエミッタ部１３８を内蔵して、エミッタ部１３８と電子メガネ７との通信性能を向上できる。
【００７７】
表示部１３には、さらに、マトリクス状の行ごとの走査線１３４および列ごとのデータ線１３５が設けられるとともに、走査線駆動回路１３１およびデータ線駆動回路１３２が設けられる。走査線駆動回路１３１およびデータ線駆動回路１３２は、例えば表示部１３としての有機ＥＬ表示パネルに取り付けられるＩＣ部材（半導体集積回路装置）であってもよい。
【００７８】
データ線駆動回路１３２は、制御部１２から取得される映像信号に応じて、各々の画素部１３６の発光強度を示すデータ信号を行ごとに順次生成し、生成したデータ信号を、データ線１３５に出力する。
【００７９】
走査線駆動回路１３１は、データ線駆動回路１３２が各行のデータ信号をデータ線１３５に順次出力するのに同期して、そのデータ信号を取り込むべき画素部１３６が配置されている行の走査線１３４に制御部１２から取得した走査信号を出力する。また、エミッタ部１３８が配置されている行１３３の走査線１３７に信号生成部１４から取得した制御信号を出力する。
【００８０】
画素部１３６は、データ線駆動回路１３２から供給されるデータ信号を、走査線駆動回路１３１から走査信号が供給されるに応じて取得することで、取得したデータ信号に応じた輝度で可視光を発光する。
【００８１】
エミッタ部１３８は、走査線駆動回路１３１から制御信号が供給されている期間、赤外光を発光する。このとき、エミッタ部１３８はマトリクス状の各画素位置の一部である行１３３に含まれる画素位置に配置されているので、前記発光素子の光の照射方向と前記所定の素子の赤外線の照射方向とは同一方向になる。その結果、エミッタ部１３８から放出される赤外線は電子メガネを掛けた視聴者の正面方向に出ていく。即ち、前記電子メガネを掛けた視聴者は、通常、発光素子の照射方向である表示部１３の正面に座るため、前記エミッタ部から照射される赤外光は前記電子メガネの方向に出ていく。その結果、前記エミッタ部と前記電子メガネとの通信性能を向上でき、前記電子メガネのシャッターの誤作動を抑制することができる。
【００８２】
表示部１３には、各画素部１３６および各エミッタ部１３８へそれぞれ可視光および赤外光の発光のための電力を供給する電源線（図示せず）が設けられている。
【００８３】
本態様によると、表示部１３の中で前記マトリクス状に複数配置された画素部１３６の配置位置の一部に、画素部１３６に代えて赤外光を発光する所定の素子及び前記所定の素子を駆動するための駆動素子を設けたエミッタ部１３８を配置する。そして、前記一画面の第１フレームと第２フレームとの切り替えタイミングを示す制御信号をエミッタ部１３８へ供給し、前記制御信号に対応させて前記所定の素子を発光させる。即ち、前記制御信号を前記所定の素子から発光される赤外光の形でエミッタ部１３８から出力する。
【００８４】
これにより、有機ＥＬ表示装置１の内部に設けられたエミッタ部１３８と電子メガネ７とで赤外線通信を行うことにより電子メガネ７のシャッターの開閉制御を行うことができる。そのため、従来、外付け部材であったエミッタを有機ＥＬ表示装置１の内部にエミッタ部１３８として設けることが可能になり、別体のエミッタを有機ＥＬ表示装置１に接続して設定する手間を省くことができる。
【００８５】
また、本態様では、前記マトリクス状に複数配置された画素部１３６の配置位置の一部に、画素部１３６に代えてエミッタ部１３８を配置しているので、各画素部１３６への前記映像信号の供給制御を行う走査線駆動回路１３１及び各画素部１３６に設けられる配線である走査線１３４、１３７を、画素部１３６とエミッタ部１３８とで共用することができる。そのため、エミッタ部１３８を駆動するためのドライバを別途設ける必要がなく有機ＥＬ表示装置１の回路構成を簡素化できる。その結果、有機ＥＬ表示装置１の製造コストを削減することができる。
【００８６】
図２（Ｂ）は、画素部１３６の構成の一典型例を示す回路図である。
【００８７】
画素部１３６は、トランジスタＴＲ１、トランジスタＴＲ２、キャパシタＣ、および有機ＥＬ素子ＥＬから構成され、走査線１３４およびデータ線１３５に接続されている。トランジスタＴＲ１は、走査線１３４から走査信号が供給されるに応じてオンすることで、データ線１３５から供給されるデータ信号をキャパシタＣに保持させる。トランジスタＴＲ２は、キャパシタＣが保持したデータ信号に応じた電流で有機ＥＬ素子ＥＬを駆動することで、有機ＥＬ素子ＥＬを所望の輝度で発光させる。有機ＥＬ素子ＥＬが発光するための電力は、電源線ＶＤＤ、ＶＳＳから供給される。
【００８８】
図２（Ｃ）は、エミッタ部１３８の機能的な構成の一例を示す回路図である。
【００８９】
エミッタ部１３８は、トランジスタＴＲ３および赤外発光素子ＩＲから構成され、走査線１３７に接続されている。トランジスタＴＲ３は、走査線１３７から走査信号が供給されるに応じてオンすることで、赤外発光素子ＩＲを発光させる。赤外発光素子ＩＲが発光するための電力は、電源線ＶＤＤ、ＶＳＳから供給される。
【００９０】
エミッタ部１３８の赤外発光素子ＩＲは、電子メガネ７に向けて十分な強度で赤外光を出射するために、画素部１３６の有機ＥＬ素子ＥＬと比べて、より大きな駆動電流が必要となる。そのため、エミッタ部１３８のトランジスタＴＲ３の表面積を、画素部１３６のトランジスタＴＲ２の表面積よりも大きくすることが望ましい。
【００９１】
次に、上記のように構成された有機ＥＬ表示装置１の動作について説明する。
【００９２】
図３は、有機ＥＬ表示装置１の動作の一例を示すタイミングチャートである。
【００９３】
図３の最上段の帯は、表示部１３の各行に表示される画像の内容と、電子メガネ７のシャッター制御との時間的な関係を模式的に示している。ここで、表示部１３内の行位置を帯内の上下位置に対応させている。すなわち、新たなフレーム（左眼用画像または右眼用画像）の表示が開始されるときに電子シャッターを閉じ、表示部１３の上方の行から下方の行へと各行の表示内容を順次変更していき、全ての行の表示内容が新たなフレームの内容になったときに、再び電子シャッターを開くという動作を表している。
【００９４】
図３の残部は、有機ＥＬ表示装置１における主要な信号の内容を示している。
【００９５】
同期信号および識別信号は、信号処理部１１によって映像信号から抽出され、信号生成部１４へ供給される。同期信号はフレームの開始を示し、識別信号は開始されたフレームが、右眼用画像に対応する第１フレームおよび左眼用画像に対応する第２フレームのいずれであるかをそれぞれローレベルおよびハイレベルで示す。
【００９６】
走査信号は、制御部１２ａによって生成され、走査線駆動回路１３１によって行１３３以外の各行に分配され、対応する行の走査線１３４を介して画素部１３６へ供給される。
【００９７】
制御信号は、信号生成部１４によって生成され、走査線駆動回路１３１から行１３３の走査線１３７を介してエミッタ部１３８へ供給される。
【００９８】
本態様によると、走査線駆動回路１３１を、前記Ｎ個×Ｍ個のマトリクス状に複数配置された画素部１３６にライン単位で設けられた走査線の１つである走査線１３７を介して接続する。そして、前記走査線１３７を用いて前記制御信号をエミッタ部１３８に供給する。これにより、エミッタ部１３８への前記制御信号の供給制御を既存の走査線１３７を用いて行うことができる。そのため、前記制御信号をエミッタ部１３８へ供給するための制御線を設ける必要がなくなる分、表示部内の配線の本数を削減できる。
【００９９】
また、制御信号は、識別信号がローレベルになっている右眼用の第１フレームでは２回、識別信号がハイレベルになっている左眼用の第２フレームでは１回、同期信号をトリガとして出力される。このように、制御信号は、１フレームに出力される回数の違いによって、第１フレームと第２フレームとの切り替えタイミングを示す。
【０１００】
制御信号がハイレベルになっている期間、エミッタ部１３８は赤外光を発光する。すなわち、エミッタ部１３８からは、右眼用の第１フレームでは２回、左眼用の第２フレームでは１回、電子メガネ７へ向けて赤外光の形で制御信号が出力される。
【０１０１】
これにより、電子メガネ７側で、所定の期間内に赤外光を２回受信したか或いは１回受信したかを判断することによって、電子メガネ７がどちらの目用のシャッターを閉じるべきかを容易に判断できる。
【０１０２】
次に、電子メガネ７の要部について説明する。
【０１０３】
図４は、電子メガネ７の要部の機能的な構成の一例を示す機能ブロック図である。
【０１０４】
電子メガネ７の要部は、受信回路７１、左液晶シャッター７４、および右液晶シャッター７５から構成される。受信回路７１は、通信部７２およびシャッター切り替え部を有している。
【０１０５】
受信回路７１において、通信部７２は有機ＥＬ表示装置１から赤外光の形で出力された制御信号を受光し、電気信号に変換して制御部７３へ供給する。制御部７３は、供給された制御信号に応じて、左液晶シャッター７４の開閉を指示する左シャッター信号または右液晶シャッター７５の開閉を指示する右シャッター信号を、左液晶シャッター７４および右液晶シャッター７５の対応する一方へ供給する。
【０１０６】
次に、上記のように構成された電子メガネ７の動作について図５および図６を用いて説明する。
【０１０７】
図５は、電子メガネ７の動作の一例を示すタイミングチャートである。図５の最上段の帯は、理解のため、図３の最上段の帯を再掲したものである。図５の残部は、電子メガネ７における主要な信号の内容を示している。
【０１０８】
図６は、電子メガネ７の動作の一例を示したフローチャートである。
【０１０９】
制御信号（赤外光）は、通信部７２によって受光され、電気信号に変換される。そして、電気信号に変換された制御信号は、制御部７３に入力される。
【０１１０】
制御部７３は制御信号を受信した後、右シャッター信号または左シャッター信号を生成し、左液晶シャッター７４および右液晶シャッター７５へ供給する。制御部７３は、シャッター信号の供給制御を行うことにより左右のシャッターの開閉を制御する。制御部７３は、一例としてカウンタを用いて構成され、あらかじめ、制御信号検出期間（ｔ０）と、制御信号を受信してからシャッター信号を出力するまでの遅延時間（ｔ１）と、液晶シャッターを開いてから閉じるまでのシャッター開時間（ｔ２）とが設定される。
【０１１１】
制御部７３は、まず、制御信号検出期間（ｔ０）内において、制御信号を受信する（Ｓ６０１〜Ｓ６０２）。そして、制御部７３は、制御信号検出期間内（ｔ０）での制御信号の受信回数を判断することにより、右シャッター信号又は左シャッター信号のいずれを生成するかを判断する（Ｓ６０３）。例えば、所定の時間内に制御信号を２回受信した場合は右シャッター信号を生成すると判断し、制御信号を１回受信した場合は左シャッター信号を生成すると判断する。
【０１１２】
次に、制御部７３は、制御信号検出期間内に制御信号を２回受信して右シャッター信号を生成すると判断した場合、制御信号検出期間後からの経過時間をカウンタにカウントさせる（Ｓ６０４）。そして、制御部７３は、制御信号検出期間後から、あらかじめ設定された遅延時間（ｔ１）が経過した時点で右シャッター信号を右液晶シャッター７５へ供給し、右液晶シャッター７５を開く（Ｓ６０５）。
【０１１３】
次に、制御部７３は、右シャッター信号を右液晶シャッター７５へ供給してからの経過時間をカウンタにカウントさせ（Ｓ６０６）、あらかじめ設定されたシャッター開時間（ｔ２）が経過した時点で右シャッター信号の供給を終了して右液晶シャッター７５を閉じる（Ｓ６０７）。
【０１１４】
一方、Ｓ６０２において、制御部７３は、制御信号検出期間内（ｔ０）に制御信号を１回受信して左シャッター信号を生成すると判断した場合も、上述のＳ６０４〜Ｓ６０７と同様の処理を行う。制御部７０３は、制御信号検出期間後からの経過時間をカウンタにカウントさせ（Ｓ６０８）、左眼用の制御信号を検出してからあらかじめ設定された遅延時間（ｔ１）が経過した時点で左シャッター信号を左液晶シャッター７４へ供給し、左液晶シャッター７４を開く（Ｓ６０９）。
【０１１５】
次に、制御部７３は、左シャッター信号を左液晶シャッター７４へ供給してからの経過時間をカウンタにカウントさせ（Ｓ６１０）、あらかじめ設定されたシャッター開時間（ｔ２）が経過した時点で左シャッター信号の供給を終了して左液晶シャッター７４を閉じる（Ｓ６１１）。
【０１１６】
以上、電子メガネ７のシャッターの開閉動作を述べた。本態様によると、前記制御回数の受信回数に応じて、電子メガネ７の左右のシャッターの開閉を制御することができるので、電子メガネ７のシャッターの開閉制御を簡素化できる。
【０１１７】
次に、上記の信号生成部１４をさらに具体化した信号生成部１４ａを有する有機ＥＬ表示装置１ａについて説明する。上記の信号生成部１４は機能的に説明したが、信号生成部１４ａについては具体的な回路構成の一例を示す。
【０１１８】
図７（Ａ）は、具体化された信号生成部１４ａを有する有機ＥＬ表示装置１ａの要部の機能的な構成の一例を示す機能ブロック図である。信号生成部１４ａは、表示部１３ａ内に設けられる。信号生成部１４ａは、例えば、走査線駆動回路１３１として機能するＩＣ部材の中に追加回路として実装することができる。
【０１１９】
このような構成を実現するために、有機ＥＬ表示装置１ａは、有機ＥＬ表示装置１と比べて、制御部１２ａにて映像信号から識別信号を抽出して信号生成部１４ａに供給するように変更される。
【０１２０】
図７（Ｂ）は、信号生成部１４ａの一具体例を示す回路図である。
【０１２１】
信号生成部１４ａは、制御部１２ａから供給される識別信号と、マトリクス状の行１３３以外の各異なる２つの行に対して走査線駆動回路１３１から出力される走査信号Ｇ１、Ｇ３とから、制御信号を生成し、走査線１３７へ出力する。
【０１２２】
信号生成部１４ａは、図７（Ｂ）に示されるように、２つのＯＲゲート１４１、１４５、インバータ１４２、２つのＡＮＤゲート１４３、１４４からなる論理回路である。信号生成部１４ａは、識別信号がローレベルとなっている右眼用の第１フレームにおいては、走査信号Ｇ１、Ｇ３を加算することにより走査信号Ｇ１、Ｇ３の論理和信号を出力し、識別信号がハイレベルとなっている左眼用の第２フレームにおいては、走査信号Ｇ１を出力する。
【０１２３】
エミッタ部１３８は、このように生成された制御信号に応じて、右眼用の第１フレームでは２回、左眼用の第２フレームでは１回、電子メガネ７へ向けて赤外光の形で制御信号を出力する。
【０１２４】
本態様によると、前記Ｎ個×Ｍ個のマトリクス状の１番目のラインからＮ番目のラインのうち、エミッタ部１３８が配置された１ラインを除く少なくとも２本のラインに供給される走査信号を入力して加算することによって前記制御信号を生成する。これにより、前記制御信号を既存の走査線駆動回路１３１に供給される走査信号で生成できるので、前記制御信号を生成するための専用ドライバを設けることなく前記制御信号を生成することができる。その結果、本装置の回路構成を簡素化でき、製造コストを削減できる。
【０１２５】
なお、本態様では、第１行に含まれる全ての画素位置にエミッタ部１３８が配置したが、エミッタ部１３８を、前記Ｎ個×Ｍ個のマトリクス状の１番目のラインからＮ番目のラインのいずれかの１ライン上に複数配置してもよい。これにより、複数のエミッタ部１３８が配置されている１ラインと複数の画素部１３６が配置されている各ラインとを各々独立に制御できるので、複数の画素部１３６及びエミッタ部１３８の制御を簡素化できる。
【０１２６】
（第２の実施の形態）
本発明の第２の実施の形態に係る有機ＥＬ表示装置、映像表示システム、および映像表示システムについて、図面を参照しながら詳細に説明する。
【０１２７】
図８は、本発明の第２の実施の形態に係る有機ＥＬ表示装置１ｂの要部の機能的な構成の一例を示す機能ブロック図である。有機ＥＬ表示装置１ｂは、第１の実施の形態の有機ＥＬ表示装置１、１ａと比べて、右眼用の第１フレームと左眼用の第２フレームとの切り替えタイミングを長さが異なる制御信号によって示す点、および表示部１３ｂのマトリクスの所定の行１３３に画素部１３６とエミッタ部１３８とが混在して配置される点で、異なっている。
【０１２８】
有機ＥＬ表示装置１ｂにおける表示部１３ｂの行１３３には、一例として、両端の画素位置にエミッタ部１３８が配置され、残りの画素位置に画素部１３６が配置される。行１３３の画素部１３６およびエミッタ部１３８は全て走査線１３９に共通的に接続され、走査線１３９から供給される制御信号によって、それぞれデータ信号の取り込みおよび赤外光の発光を行う。
【０１２９】
有機ＥＬ表示装置１ｂでは、表示部１３ｂがこのように構成されるため、走査線１３９を介して１フレームに複数回の制御信号をエミッタ部１３８に供給すると、行１３３に配置されている画素部１３６もその制御信号によって複数回データ信号を取り込むことになり、画素部１３６が１フレーム内で複数回発光するなどの所望しない結果が生じるおそれがある。
【０１３０】
そこで、有機ＥＬ表示装置１ｂの信号生成部１４ｂでは、１フレーム内においてエミッタ部１３８が発光する回数は、右眼用の第１フレームと左眼用の第２フレームともに１回で、かつ第１フレームと第２フレームとではエミッタ部１３８が発光する時間が異なるような制御信号を生成する。
【０１３１】
信号生成部１４ｂは、そのような制御信号として、例えば、第１フレームと第２フレームとで各１回、それぞれパルス幅が異なる制御信号を生成してもよい。
【０１３２】
一般的な有機ＥＬ表示装置は、もともと各種の制御のために、調整可能なパルス幅のパルス信号を生成する可変長パルス発生器を備えていることが多く、そのようなパルス幅の調整を行うことは容易である。
【０１３３】
そこで、有機ＥＬ表示装置１ｂでは、有機ＥＬ表示装置１の制御部１２に代えて、可変長パルス発生器を追加した制御部１２ｂを用い、その可変長パルス発生器を信号生成部１４ｂとして用いて、制御信号を生成する。
【０１３４】
信号生成部１４ｂは、信号処理部１１から供給された同期信号に同期して、信号処理部１１から供給された識別信号に応じた長さの制御信号を生成し、生成された制御信号を走査線駆動回路１３１ｂへ供給する。
【０１３５】
走査線駆動回路１３１ｂは、信号生成部１４ｂから取得した制御信号を行１３３の走査線１３９へ出力し、さらに他の各行の走査線へ信号生成部１４ｂから取得した走査信号を順次出力する。
【０１３６】
次に、上記のように構成された有機ＥＬ表示装置１ｂの動作について説明する。
【０１３７】
図９は、有機ＥＬ表示装置１ｂの動作の一例を示すタイミングチャートである。
【０１３８】
図９の最上段の帯は、図３の最上段の帯と同様の表記を用いて、表示部１３ｂの各行に表示される画像の内容と、電子メガネ７のシャッター制御との時間的な関係を模式的に示している。
【０１３９】
図９の残部は、有機ＥＬ表示装置１ｂにおける主要な信号の内容を示している。
【０１４０】
同期信号および識別信号は、信号処理部１１によって映像信号から抽出され、信号生成部１４ｂへ供給される。同期信号はフレームの開始を示し、識別信号は開始されたフレームが、右眼用画像に対応する第１フレームおよび左眼用画像に対応する第２フレームのいずれであるかをそれぞれローレベルおよびハイレベルで示す。
【０１４１】
走査信号は、制御部１２ｂによって生成され、走査線駆動回路１３１ｂによって行１３３以外の各行に分配され、対応する行の走査線１３４を介して画素部１３６へ供給される。
【０１４２】
制御信号は、信号生成部１４ｂによって生成され、走査線駆動回路１３１ｂから行１３３の走査線１３９を介してエミッタ部１３８および画素部１３６へ供給される。
【０１４３】
制御信号は、識別信号がハイレベルになっている左眼用の第２フレームにおけるパルス幅よりも識別信号がローレベルになっている右眼用の第１フレームにおけるパルス幅が長くなるように、同期信号をトリガとして出力される。このように、制御信号は、パルス幅の違いによって、第１フレームと第２フレームとの切り替えタイミングを示す。
【０１４４】
制御信号がハイレベルになっている期間、エミッタ部１３８は赤外光を発光する。すなわち、エミッタ部１３８からは、右眼用の第１フレームではより長い時間、左眼用の第２フレームではより短い時間、電子メガネ７へ向けて赤外光の形で制御信号が出力される。
【０１４５】
なお、上記では、制御信号と走査信号とを区別して説明したが、１フレーム内の最初の走査信号を制御信号とみなせばこの区別は不要である。例えば、制御部１２ｂは、１フレーム内の最初の走査信号を制御信号とみなすとともに、全ての走査信号を、第２フレームでのパルス幅よりも第１フレームでのパルス幅が長くなるように出力してもよい。
【０１４６】
そして、走査線駆動回路１３１ｂにて、制御部１２ａから取得された走査信号を、行１３３を含む全ての行の走査線１３９、１３４に分配して順次出力すれば、前述と同様の結果を得ることができる。
【０１４７】
本態様によると、エミッタ部１３８と画素部１３６とが行１３３において混在する場合、行１３３に含まれるエミッタ部１３８及び画素部１３６の双方に、行１３３に設けられる走査線１３９を用いて、行１３３で用いる制御信号を供給する。即ち、画素部１３６に前記制御信号を前記走査信号として用いさせるので、行１３３に含まれる画素部１３６とエミッタ部１３８とを、各々別々の制御線を設けることなく既存の走査線１３９を用いて制御することができる。そのため、表示部１３ｂ内の配線の本数を削減でき、表示部１３ｂ内の回路構成を簡素化できる。
【０１４８】
また、本態様では、エミッタ部１３８と画素部１３６とが行１３３において混在する場合、行１３３で用いる制御信号を、同一フレーム内におけるエミッタ部１３８の発光回数を１回としつつ前記第１フレームと前記第２フレームとでエミッタ部１３８の発光期間が異なるように生成するようにした。これにより、前記第１フレームと前記第２フレームとでエミッタ部１３８の発光期間が異なるので、電子メガネ７では、前記エミッタ部１３８の発光回数が１回であっても、その発光期間の長さの違いによって右眼及び左眼のどちらの目のシャッターを閉じるべきかを判断することができる。その結果、エミッタ部１３８と画素部１３６とが行１３３において混在する場合でも、エミッタ部１３８の発光制御を既存の走査線１３９を用いて適切に行うことができる。
【０１４９】
次に、有機ＥＬ表示装置１ｂとともに映像表示システムを構成する電子メガネ７について説明する。
【０１５０】
この場合の電子メガネ７の要部の構成は、図４に示される構成と同等であるが、制御部７３が、制御信号のパルス数ではなく、制御信号のパルス幅を弁別することにより第１フレームと第２フレームとを識別するように変更される。
【０１５１】
図１０は、有機ＥＬ表示装置１ｂとともに用いられる場合の、電子メガネ７の動作の一例を示すタイミングチャートである。
【０１５２】
図１０の最上段の帯は、理解のため、図９の最上段の帯を再掲したものである。
【０１５３】
図１０の残部は、電子メガネ７における主要な信号の内容を示している。
【０１５４】
制御信号（赤外光）は、通信部７２によって受光され、電気信号に変換される。
【０１５５】
右シャッター信号および左シャッター信号は、制御部７３にて生成され、左液晶シャッター７４および右液晶シャッター７５へ供給され、シャッターの開閉を制御する。制御部７３は、一例として、クロック生成器、カウンタ、比較器などを用いて構成され、クロック生成器から出力されるクロック信号を、制御信号が受信されている期間、カウンタにてカウントし、カウントの結果値を比較器にてしきい値比較することにより、右シャッター信号および左シャッター信号のうちの適切な一方を出力してもよい。
【０１５６】
実施例として、フレームレートが１２０フレーム／秒（１水平期間は７．４μＳ）の場合を考える。このとき、第１フレームおよび第２フレームにおける制御信号のパルス幅として、それぞれ５．５μＳ、５．０μＳ、前記クロック生成器が出力するクロック信号の周波数として１０ＭＨｚを採用する。そうすれば、第１フレームおよび第２フレームにおいて期待されるカウントの結果値はそれぞれ５５、５０であり、しきい値を５２〜５３とすることで、第１フレームおよび第２フレームを安定して弁別可能である。
【０１５７】
また、制御信号のパルス幅と走査信号のパルス幅とを、第１フレームでは５．５μＳに統一し、第２フレームでは５．０μＳに統一した場合、それぞれ１フレーム期間の７４％または６８％の時間で全ての画素部１３６がデータ信号を取り込むことができるので、１フレーム期間に少なくとも２６％のデューティー比でシャッター開期間を設けることができる。
【０１５８】
以上、本発明の有機ＥＬ表示装置、映像表示システム、および映像表示方法について実施の形態に基づいて説明した。本発明は、これらの実施の形態に限定されるものではない。本発明の趣旨を逸脱しない限り、当業者が思いつく各種変形を各実施の形態に施したものや、異なる実施の形態における構成要素を組み合わせて得られる形態も、本発明の範囲内に含まれる。
【産業上の利用可能性】
【０１５９】
本発明は、有機ＥＬ表示装置などの映像表示装置に適用でき、特には電子メガネを用いて立体映像を視聴するための映像表示システムに好適である。
【符号の説明】
【０１６０】
１、１ａ、１ｂ  有機ＥＬ表示装置
８  エミッタ
９  表示装置
７  電子メガネ
１１  信号処理部
１２、１２ａ、１２ｂ、７３  制御部
１３、１３ａ、１３ｂ  表示部
１４、１４ａ、１４ｂ  信号生成部
７１  受信回路
７２  通信部
７４  左液晶シャッター
７５  右液晶シャッター
１００、９００  映像表示システム
１３１、１３１ｂ  走査線駆動回路
１３２  データ線駆動回路
１３３  行
１３４、１３７、１３９  走査線
１３５  データ線
１３６  画素部
１３８  エミッタ部
１４１、１４５  ＯＲゲート
１４２  インバータ
１４３、１４４  ＡＮＤゲート
ＴＲ１、ＴＲ２、ＴＲ３  トランジスタ
Ｇ１、Ｇ３  走査信号
ＥＬ  有機ＥＬ素子
ＩＲ  赤外線発光素子
【図１】
0005508393.tif 000002
【図２】
0005508393.tif 000003
【図３】
0005508393.tif 000004
【図４】
0005508393.tif 000005
【図５】
0005508393.tif 000006
【図６】
0005508393.tif 000007
【図７】
0005508393.tif 000008
【図８】
0005508393.tif 000009
【図９】
0005508393.tif 000010
【図１０】
0005508393.tif 000011
【図１１】
0005508393.tif 000012